(57)【要約】【課題】ペン型のＲＦＩＤリーダ／ライタの操作性を向上し、どこでも容易に使用できるようにする。【解決手段】基板４１上にプリントパターンでアンテナコイル４２が形成されたアンテナ基板４をペン型ケース３の先端部に配設するとともに、そのアンテナコイル４２をドライブするドライブ回路１４と、そのドライブ回路１４及びアンテナコイル４２を介して、ペン型ケース３の先端部の外側に近接するＲＦＩＤタグ２に対してデータの読み書きを行うＣＰＵ（制御部）１０と、そのＣＰＵ１０が使用するプログラムを格納するＲＯＭ１１および上記データを格納するＲＡＭ１２と、これらが使用する電力を供給する電源部９とをペン型ケース３内に設けた。【選択図】　　　　図２
2004102728.tif 000002
【特許請求の範囲】
【請求項１】
ペン型のＲＦＩＤリーダ／ライタであって、
ペン型ケースの先端部に設けられ、基板上にプリントパターンでアンテナコイルが形成されたアンテナ基板と、
該アンテナ基板のアンテナコイルをドライブするドライブ回路と、
該ドライブ回路及び前記アンテナコイルを介して、前記ペン型ケースの先端部の外側に近接するＲＦＩＤタグに対してデータの読み書きを行う制御部と、
該制御部が使用するプログラムおよび前記データを格納するメモリと、
前記ドライブ回路と制御部とメモリが使用する電力を供給する電源部とを
前記ペン型ケース内に設けたことを特徴とするＲＦＩＤリーダ／ライタ。
【請求項２】
請求項１記載のＲＦＩＤリーダ／ライタにおいて、
前記アンテナ基板の前記アンテナコイルを形成した領域の内側に位置決め孔を設け、
前記ペン型ケースの先端部に、端面に前記位置決め孔に嵌合する突起を形成したアンテナ基板保持部を設け、
その突起に前記位置決め孔を嵌合させて、前記アンテナ基板を前記アンテナ基板保持部の端面に位置決め保持し、
該アンテナ基板を覆う樹脂製のキャップを、前記アンテナ基板保持部の外周面に嵌合させてなることを特徴とするＲＦＩＤリーダ／ライタ。
【請求項３】
請求項１又は２記載のＲＦＩＤリーダ／ライタにおいて、
前記アンテナ基板を、前記ペン型ケースの長手方向に直交する方向に対して傾けて配設したことを特徴とするＲＦＩＤリーダ／ライタ。
【発明の詳細な説明】
【０００１】
【発明の属する技術分野】
この発明は、非接触型ＩＤ認識システムに用いるＲＦＩＤリーダ／ライタに関し、特にコイル・オン・チップ方式のトランスポンダであるＲＦＩＤタグに対してデータの読み書きを行うペン型のＲＦＩＤリーダ／ライタに関する。
【０００２】
【従来の技術】
従来の認識システムとしては、バーとスペースの配列で情報を符号化したバーコードを使用するシステムが最も一般的であるが、バーコードには、記憶容量（情報量）が少ない、紙などに印刷して使用するため書き換えができない等の欠点がある。そこで、これらの欠点を補った記憶媒体として、シリコンチップを用いた接触型ＩＣカードなどの電子式データキャリアも普及されつつある。
しかし、バーコードが近距離ならば非接触で読取りできるのに対し、接触型ＩＣカードなどのデータを読取るには、読取器との機械的及び電気的な接続が必要であるので、実用上不都合な場合もある。
【０００３】
そのため近年、トランスポンダ（Ｔｒａｎｓｐｏｎｄｅｒ）又はＲＦＩＤタグと呼ばれる電子式データキャリアを用いた、高周波認識（ＲＦＩＤ：ＲａｄｉｏＦｒｅｑｕｅｎｃｙ　Ｉｄｅｎｔｉｆｉｃａｔｉｏｎ）システム（以下「ＲＦＩＤシステム」という）が注目されている。
ＲＦＩＤシステムとは、電子式データキャリアであるＲＦＩＤタグと、その読取／書込装置であるＲＦＩＤリーダ／ライタの双方にアンテナコイルを設け、その各アンテナコイルによって発生する高周波（無線周波数）の磁界または電磁界を用いてデータ通信を行う非接触型の認識システムである。
【０００４】
なお、ＲＦＩＤタグには、例えば特許文献１又は２に記載されているように、バッテリや太陽電池などのエネルギー源（電源）を内蔵しているものと、例えば特許文献３に記載されているように、ＲＦＩＤリーダ／ライタ（識別装置）から電力の供給を受けて稼動するものとがある。その場合、ＲＦＩＤリーダ／ライタのアンテナから送信される信号に基いて、データの読み出し／書き込みを行うとともに電力の供給を受ける。
また、ＲＦＩＤタグの形状は、円盤型（コイン型），ＩＣカード型，厚さ０．１ｍｍ程度のシール状のものなど様々である。一方、ＲＦＩＤリーダ／ライタについても、その方式や通信距離（０ｍから数ｍまで）などの用途に応じて、据置型や壁掛けタイプなどの定置式のものから、ハンディタイプのものまで様々なものがある。
【０００５】
【特許文献１】
特表２００２−５２２８４９号公報（００１８）
【特許文献２】
特開２００２−６５４１８号公報（要約）
【特許文献３】
特開２００２−４９８９８号公報（０００３）
【０００６】
ところで近年、最新のハイブリッド技術を用いてＣＭＯＳウエハ上のチップにコイルを結合するコイル・オン・チップ方式により、ＲＦＩＤタグ（以下単に「タグ」とも言う）の形状を直径５ｍｍ程度にまで小型化することが可能になった。しかし、コイル・オン・チップ方式のタグの通信距離は極めて短かい（０ｍｍから数ｍｍ程度）であるため、このタグとデータ通信するＲＦＩＤリーダ／ライタは、そのアンテナ配設部をタグに密着できるようにする必要がある。
そのため、ＲＦＩＤリーダ／ライタを先細りしたペン型の形状にすると操作性がよく、そのアンテナも極力小型にして、ペン型ケースの先端部に内蔵したものが開発されている。そのアンテナは、プリント配線基板にパターンでアンテナコイル形成したアンテナ基板が使用される。
【０００７】
図６はそのような従来のペン型のＲＦＩＤリーダ／ライタにおけるアンテナ基板装着部の一例を示す分解斜視図であり、図７はその組付状態における拡大横断面図である。
このＲＦＩＤリーダ／ライタ１００は、ペン型ケース１０１の先端部にアンテナ基板１１０を配設し、そのアンテナ基板１１０を覆うように樹脂製のキャップ１０５を被せている。アンテナ基板１１０は、プリント配線基板である略正方形の基板１１１の一方の面上にプリントパターンでアンテナコイル１１２が形成されている。
ペン型ケース１０１の角筒状の先端部に、外周をキャップ１０５の側壁の肉厚分だけ小さくした方形台状のアンテナ基板保持部１０２を設け、その端面を外周部１０２ａを周壁状に残して凹陥させ、アンテナ基板１１０の外形より僅かに大きい内形の略正方形の凹部１０２ｂを形成している。
【０００８】
そして、図７に示すように、その凹部１０２ｂにアンテナ基板１１０を嵌入させて位置決め保持し、そのアンテナ基板１１０のアンテナコイル１１２の形成面を覆うようにキャップ１０５を被せ、その側壁部１０５ｂをアンテナ基板保持部１０２の外周面に嵌合させている。
このＲＦＩＤリーダ／ライタのペン型ケース１０１の図示を省略している後方部を、使用者が手で握ってキャップ１０５の先端面１０５ａを図示していないＲＦＩＤタグに密着させ、アンテナ基板１１０のアンテナコイル１１２を使用して、そのタグからデータ読み取り、あるいはそのタグへデータを書き込む。
【０００９】
【発明が解決しようとする課題】
しかしながら、このような従来のペン型のＲＦＩＤリーダ／ライタは、一般にペン型ケースの後端部から延びるケーブルを有し、そのケーブルの先端のコネクタをパーソナルコンピュータ等の外部機器に接続し、そのケーブルを通して外部機器との間でデータの送受信を行うとともに、その外部機器から電力の供給を受けて稼働するようになっている。あるいは、専用のＡＣアダプタを接続して、それによって商用電源からの交流を直流（５Ｖ）に変換して供給するようにしていた。
【００１０】
そのため、その外部機器やＡＣアダプタを含めると形状が大きく、且つ重くなるため操作性が悪くなる。しかも、使用できる範囲が、その外部機器を設置できてその電源を確保できる場所に限定されるという問題があった。
本願の各発明は、このような問題を解決するためになされたものであり、ケーブルによる外部機器との接続を不要にして、極めて操作性がよく、且つ使用範囲が限定されることなく、どこでも種々の用途に使用できるペン型のＲＦＩＤリーダ／ライタを提供することを共通の目的とする。
【００１１】
また、図６および図７に示したような、従来のペン型のＲＦＩＤリーダ／ライタにおけるペン型ケースの先端部のアンテナ基板保持部の構造では、アンテナ基板１１０の外周にアンテナ基板保持部１０２の外周部１０２ａの厚さｔ２と、そのアンテナ基板保持部１０２の外周面と嵌合するキャップ１０５の側壁部１０５ｂの厚さｔ１とがある。そのため、アンテナ基板１１０の一辺の長さがＳのとき、キャップ１０５の先端面（読取面）１０５ａの一辺の長さＬ′は、
Ｌ′＝Ｓ＋ｔ１×２＋ｔ２×２　　となる。
【００１２】
したがって、先端面の大きさがアンテナ基板の大きさ（面積）よりもふた回りも大きくなってしまう。このアンテナ基板より外側の先端面１０５ａの周辺部をタグに密着させても、その部分ではアンテナコイル１１２とタグとが対向しないので、ＲＦＩＤリーダ／ライタがタグと通信できないか、通信できても感度が大幅に低下する可能性がある。
そのため、ペン型ケースの先端面をタグに密着させるとき、その中央部がタグの中央部と対向するように位置合わせをする必要があり、手間がかかった。また、タグに対してペン型ケースを垂直にして、指先に強く力を入れて保持する必要があり、ケース上のスイッチボタンを操作し難いし、自分の指が邪魔になってタグを視認しにくいなどの操作性上の問題もあった。
この発明は、このような問題を解決し、ＲＦＩＤリーダ／ライタの操作性を一層向上することも目的とする。
【００１３】
【課題を解決するための手段】
この発明によるペン型のＲＦＩＤリーダ／ライタは、上記の目的を達成するため、ペン型ケースの先端部に設けられ、基板上にプリントパターンでアンテナコイルが形成されたアンテナ基板と、そのアンテナ基板のアンテナコイルをドライブするドライブ回路（高周波通信回路）と、そのドライブ回路及びアンテナコイルを介して、ペン型ケースの先端部の外側に近接するＲＦＩＤタグに対してデータの読み書きを行う制御部と、その制御部が使用するプログラムおよび上記データを格納するメモリと、上記ドライブ回路と制御部とメモリが使用する電力を供給する電源部とを、前記ペン型ケース内に設けている。
したがって、外部機器とケーブルで接続して電力の供給を受ける必要がなく、単独でどこでも使用できる。
【００１４】
また、このＲＦＩＤリーダ／ライタにおいて、上記アンテナ基板のアンテナコイルを形成した領域の内側に位置決め孔を設け、上記ペン型ケースの先端部に、端面に上記位置決め孔に嵌合する突起を形成したアンテナ基板保持部を設け、
その突起に上記位置決め孔を嵌合させて、上記アンテナ基板を上記アンテナ基板保持部の端面に位置決め保持し、樹脂製のキャップをそのアンテナ基板を覆うように上記アンテナ基板保持部の外周面に嵌合させる構成にすると、アンテナ基板を収納したペン型ケースの先端面（アンテナコイルと対向するようにＲＦＩＤタグに密着させる面）を小さくして、正確な位置で密着させやすくなる。
【００１５】
さらに、上記アンテナ基板を、ペン型ケースの長手方向に直交する方向に対して傾けて配設するのが望ましい。それによって、このＲＦＩＤリーダ／ライタを操作する人は、その先端面をタグに密着させる際に自然に手前側に少し傾けて握ることができる。そのため、指先に強く力を入れてＲＦＩＤリーダ／ライタを保持しなくても済み、ペン型ケース上のスイッチボタンなども操作し易く、タグを視認しながらその位置を確認するのも容易になるなど、操作性が大幅に向上する。
【００１６】
【発明の実施の形態】
以下、この発明の実施の形態を図面に基づいて説明する。
図１は、この発明によるペン型のＲＦＩＤリーダ／ライタの一実施形態をＲＦＩＤタグと共に示す側面図である。
この図１に示すＲＦＩＤリーダ／ライタ１は、先端部（図１で左側の端部）側が先細りしたペン型ケース３に全ての構成部品が装着あるいは収納されており、ユーザが片手に握って容易に操作できる大きさ（太さおよび長さ）である。
【００１７】
このペン型ケース３の先端部内には、図６および図７によって前述した従来のＲＦＩＤリーダ／ライタに設けられているのと同様な、アンテナコイル４２を形成したアンテナ基板４が配設されている。その先端部にはキャップ３３を嵌着しており、その先端面をＲＦＩＤタグ２に密着させて、そのタグに対するデータの読み出し及び／又は書き込み（以下「読み書き」という）を行う。このアンテナ基板を配設した先端部の構造については、あとでその具体的な構造例を詳述する。
【００１８】
また、このペン型ケース３の上部は複数個（図示の例では２個）の動作のＯＮ／ＯＦＦや機能を選択するためのスイッチボタン６ａ，６ｂを設け、側部には動作状態や通信するデータの内容などを表示するためのＬＣＤによる表示器７を備えている。しかし、これらのスイッチボタン６ａ，６ｂおよび表示器７はこの発明に特有のものではなく、要求される機能や仕様に合わせて任意に設けることができる。また、これらの配設位置や数も任意に変更できる。また、表示器７を省略することもできる。
【００１９】
さらに、このペン型ケース３の前方側面の上部に赤外線通信窓８が設られており、ＲＦＩＤタグ２から読み取ったデータをパーソナルコンピュータ等の外部機器へ、赤外線通信によって送信できるようにしている。
ところで、このペン型ケース３内には後述する制御部やメモリ、ドライブ回路、その他が設けられており、それらを動作させるための電力を供給する電源部９も内蔵している。その電源部９の電源として一次電池（小型のマンガン電池やアルカリ電池、ボタン電池など）を使用する場合には、それを容易に交換できるようにする必要がある。
【００２０】
そのため、この実施形態では、ペン型ケース３後端部（図１では右端部）に、ヒンジ部３７によって矢示Ａ方向に回動して開閉可能な電池交換用の蓋３６を設けており、その蓋３６は閉じたときにペン型ケース３後端部に嵌合する。ユーザがこの蓋３６を開けて、電源部９に電池を挿入して蓋３６を閉めると、その電池がペン型ケース３内に固定される。
なお、電源部の電源として、太陽電池と小型の二次電池（バッテリ）又は大容量コンデンサなどを内蔵することもできる。その場合は蓋を設けないか、設けてもねじ止めにすることができる。
【００２１】
次に、このＲＦＩＤリーダ／ライタ１のペン型ケース３内に設けられている各部の構成を図２によって説明する。
このＲＦＩＤリーダ／ライタ１は、この装置全体を統括制御する制御部であるＣＰＵ１０と、そのＣＰＵが使用するプログラムを格納したメモリであるＲＯＭ１１およびデータを格納するメモリであるＲＡＭ１２と、それらを接続するＣＰＵバス１３とによってマイクロコンピュータ５を構成している。
そして、アンテナ基板４のアンテナコイル４２をドライブしてタグ２との間で高周波（無線周波）通信を行うドライブ回路（高周波通信回路）１４と、外部機器との間で赤外線通信を行う赤外線通信ユニット１５、前述したスイッチボタン６ａ，６ｂを備えた操作部６と、前述の表示器７とを、それぞれ内部のインターフェース回路を介して、ＣＰＵバス１３に接続している。これらの各部と前述した電源部９とをペン型ケース３内に設けている。
【００２２】
これらの各部は殆どプリント基板上に設けられ、そのプリント基板には、ＣＰＵバス１３のほかに、上述したＣＰＵ１０、ＲＯＭ１１、ＲＡＭ１２、ドライブ回路１４、赤外線通信ユニット１５、操作部６、および表示器７に、それぞれ動作に必要な電力を電源部９から供給するための給電線（図示は省略している）も形成している。
電源部９は、前述したペン型ケース３の後端から電池を取り外し可能に保持する電池ホルダと、その電池の電圧を安定化して所定電圧の直流を上記給電線に供給する給電部とからなる。
【００２３】
制御部であるＣＰＵ１０は、ＲＯＭ１１に格納されているプログラムによって動作し、操作部６からの指示によって、ドライブ回路１４及びアンテナコイル４２を介して、ペン型ケース３の先端部の外側に近接するタグ２に対してデータの読み書きを行い、そのタグ２のメモリから読み出したデータをＲＡＭ１２に格納し、あるいはＲＡＭ１２に格納しているデータをタグ２のメモリに書き込む。ＲＡＭ１２はＣＰＵのワーキングメモリとしても使用される。また、記憶データを保存するため、電源部９から常時給電されてバックアップされている。
【００２４】
このＲＦＩＤリーダ／ライタ１の動作状態や、タグ２から読み取ったデータ等は、表示器７によって表示することができる。また、操作部６のスイッチボタン６ａ，６ｂ等の操作によって動作のＯＮ／ＯＦＦや機能の選択などが可能である。
赤外線通信ユニット１５は図１に示した赤外線通信窓８の内側に送信ポートと受信ポートを配設しており、ＣＰＵ１０に制御されて送信ポートから赤外線による光信号を発射し、受信ポートで外部からの赤外線による光信号を受光し、パーソナルコンピュータ等の外部機器との間でＩｒＤＡ規格による赤外線通信を行うことができる。そして、タグ２から読み取ったデータを外部機器へ送信したり、タグに書き込むデータを外部機器から受信したりすることができる。
【００２５】
このように構成したＲＦＩＤリーダ／ライタ１は、アンテナ基板４と、そのドライブ回路１４と、データの読み書きを行うための制御部であるＣＰＵ１０と、そのプログラムメモリであるＲＯＭ１１およびデータメモリであるＲＡＭ１２と、それらが使用する電力を供給する電源部９とを、全てペン型ケース３内に設けている。したがって、ケーブルで外部機器と接続して電力の供給を受けたり、専用のＡＣアダプタを接続して商用電源から給電を受けたりする必要がないので、場所を選ばずどこでも容易に使用することができる。
【００２６】
また、赤外線通信ユニット１５と赤外線通信窓８による赤外線通信手段も備えているため、外部機器とデータのやり取りをするためのケーブルも不要である。
しかし、外部機器とのデータ通信は赤外線通信に限るものではなく、他の方法（例えばブルートゥースを使用した無線通信など）を用いてもよい。また、メモリカードなどの記憶媒体を介してデータのやり取りなどを行うようにしてもよい。これらの場合には、ブルートゥースやメモリカードなどを挿入するスロットをペン型ケース３に設けておく必要がある。
【００２７】
さて、この実施形態のＲＦＩＤリーダ／ライタ１は、ペン型ケース３の先端部に配設したアンテナ基板４は、図１に示すようにペン型ケース３の長手方向に直交するａ−ａ線に沿う方向ではなく、そのａ−ａ線に対して上側を前方へ倒して角度θだけ下向きに傾けて配置されている。この角度θは１０°〜３０°程度で、２０°程度が好ましい。したがって、ペン型ケース３の長手方向に対しては９０°−θ＝７０°程度の傾斜になる。この傾斜に合わせて、キャップ３３の先端面３３ａも同じ角度だけ傾けてある。
【００２８】
それによって、このＲＦＩＤリーダ／ライタ１を操作する人は、その先端面３３ａをタグ２に密着させる際に、自然にＲＦＩＤリーダ／ライタ１を手前側に少し（垂直に対して２０°程度／水平に対して７０°程度）傾けて握ることができる。そのため、指先に強く力を入れてＲＦＩＤリーダ／ライタ１を保持しなくても済み、ペン型ケース３上のスイッチボタン６ａ，６ｂなども操作し易く、タグ２を視認しながらその位置を確認するのも容易になるなど、操作性が大幅に向上する
しかし、これはこの発明に必須の要件ではなく、従来のペン型のＲＦＩＤリーダ／ライタと同様に、アンテナ基板４をペン型ケース３の長手方向に直交するａ−ａ線に沿う方向に配置し、ペン型ケース３の先端面もａ−ａ線に沿う方向にしても、多少操作性が悪くはなるが、場所を選ばすどこでも手軽に使用できる利点には変わりがない。
【００２９】
次に、ペン型ケース３の先端部におけるアンテナ基板装着部の構造の詳細を図３と図４によって説明する。
図３は、図１に示したＲＦＩＤリーダ／ライタのアンテナ基板装着部を拡大して示す分解斜視図、図４はその組付状態での拡大横断面図である。
このＲＦＩＤリーダ／ライタ１のペン型ケース３の先端部には、アンテナ基板保持部３１を設け、その端面３１ａにアンテナ基板４を保持し、その上からアンテナ基板４を覆うように樹脂製のキャップ３３を被せている。ペン型ケース３のアンテナ基板保持部３１を含む全体も樹脂製である。
【００３０】
アンテナ基板４は、従来のアンテナ基板と同様に、プリント配線基板である略正方形の基板４１の一方の面上にプリントパターンでアンテナコイル４２が形成されている。そして、その基板４１のアンテナコイル４２を形成した領域の内側に、方形の位置決め孔４１ａを設けている。
一方、ペン型ケース３の角筒状の先端部に、外周をキャップ３３の側壁の肉厚分だけ小さくした方形台状のアンテナ基板保持部３１を設け、その端面３１ａの外形寸法をアンテナ基板４の基板４１の外形寸法と同じにしている。また、その端面３１ａをペン型ケース３の長手方向に直交する面に対して約２０°下向きに傾けている。なお、このペン型ケース３のアンテナ基板保持部３１の基部の周囲との間で段差を形成する端面３ａは、長手方向に直交する面になっている。
【００３１】
さらに、アンテナ基板保持部３１の端面３１ａの中央部にアンテナ基板４の位置決め孔４１ａに嵌合する方形の位置決め用の突起３１ｂを形成している。この突起３１ｂの高さは、アンテナ基板４の基板４１の厚さと同等か、それより若干低くする。この突起３１ｂの端面は、アンテナ基板保持部３１の端面３１ａと平行にする。
その突起３１ｂにアンテナ基板４の位置決め孔４１ａを嵌合させて、アンテナ基板４をアンテナ基板保持部３１の端面３１ａに位置決め保持する。このとき、アンテナ基板４の基板４１の裏面はアンテナ基板保持部３１の端面３１ａに密着し、アンテナ基板４はペン型ケース３の長手方向に直交する面に対して約２０°下向きに傾いて保持される。
【００３２】
さらに、そのアンテナ基板４を覆うようにキャップ３３を被せて、アンテナ基板保持部３１の外周面３１ｃに嵌合させる。それによって、アンテナ基板４をキャップ３３で押えつけて保持することができる。このキャップは、アンテナコイル４２の磁束密度に影響しないように、樹脂によって側面がややくさび状の箱形に成形されており、アンテナコイル４２と対向する内面およびその外側の先端面３３ａも、アンテナ基板保持部３１に嵌合した状態で、その端面３１ａおよびアンテナ基板４と平行になるように形成されている。その先端面３３ａは、タグに密着させたとき、アンテナコイル４２とタグとの距離がなるべく小さくなるように、強度上必要な範囲でなるべく薄肉にした方がよい。
【００３３】
この構成によれば、図４に明示するように、アンテナ基板４のアンテナコイル４２とキャップ３３の内面とは密着するとともに、アンテナ基板４の外周にはキャップ３３のアンテナ基板保持部３１の外周面３１ｃと嵌合する側壁部３３ｂの厚さｔ１があるだけである。そのため、アンテナ基板４の一辺の長さがＳのとき、キャップ３３の先端面（読取面）３３ａの一辺の長さＬは、Ｌ＝Ｓ＋ｔ１×２となる。
したがって、図７に示した従来のＲＦＩＤリーダ／ライタの先端面１０５ａの一辺の長さＬ′よりも（ｔ２×２）だけ短くなり、先端面の面積はその長さＬ′とＬの各二乗の差（数１によって求められる）だけ小さくなる。
【００３４】
【数１】
Ｌ′２−Ｌ２＝（Ｓ＋２ｔ１＋２ｔ２）２−（Ｓ＋２ｔ１）２
＝４ｔ２（Ｓ＋２ｔ１）＋４ｔ１２
【００３５】
つまり、この実施形態のＲＦＩＤリーダ／ライタ１によれば、その先端面のアンテナコイル４２と対向しない部分、すなわち通信に寄与しない部分の面積を小さくすることができ、通信に必要なアンテナ基板４の面積を小さくすることなく、先端面の面積を小さくできる。そのため、先端面３３ａをタグ２に密着させるときに精密な位置合わせが不要になるため、タグに対するデータの読み書き操作を簡単かつ迅速に行えるようになる。
なお、アンテナ基板４およびキャップ３３の先端面３３ａを、ペン型ケース３の長手方向に直交する方向に対して傾けたことによる作用効果は前述したとおりであるが、アンテナ基板４を傾けずに配設して、その他の構成は図３及び図４に示したのと同様にしてもよい。
【００３６】
次に、ペン型ケース３の先端部におけるアンテナ基板装着部の構造の他の例を図５によって説明する。図５はその図３と同様な分解斜視図であり、図３と対応する部分には同一の符号を付してあり、それらの説明は省略する。
この例においては、アンテナ基板４の基板４１のアンテナコイル４２を形成した領域の内側に、４個の円形の位置決め孔４１ｂを正方形の４隅に対応する位置に設けている。
【００３７】
一方、ペン型ケース３の先端部のアンテナ基板保持部３１の端面３１ａには、アンテナ基板４の各位置決め孔４１ｂと嵌合する位置にその位置決め孔４１ｂより僅かに小さい径の円柱状の位置決め用突起３１ｄを設けている。その４個の各突起３１ｄの高さはアンテナ基板４の基板４１の厚さと同等かそれ以下にする。また、その各突起３１ｄの端面はアンテナ基板保持部３１の端面３１ａと平行にする。
そして、この各突起３１ｄにアンテナ基板４の各位置決め孔４１ｂを嵌合させて、アンテナ基板４をアンテナ基板保持部３１の端面３１ａに位置決め保持する。このとき、アンテナ基板４の基板４１の裏面はアンテナ基板保持部３１の端面３１ａに密着し、アンテナ基板４はペン型ケース３の長手方向に直交する面に対して約２０°下向きに傾いて保持される。
【００３８】
その他の構成は図３によって説明した例と同じであり、その作用効果も同じであるから説明を省略する。
アンテナ基板４に設ける位置決め孔と、アンテナ基板保持部に設ける位置決め用突起は、互いにガタなく嵌合するように設ければよく、それらの形状や個数は上述の２つの例に示したものに限らず適宜に変更できる。
なお、以上述べた実施形態では、ペン型ケースの先端部が略四角柱状になっているが、アンテナ基板が円形あるいは多角形であれば、その形状に合わせた円柱状あるいは多角柱状にすればよい。
【００３９】
【発明の効果】
以上説明してきたように、この発明によるＲＦＩＤリーダ／ライタ１は、電源部を含むＲＦＩＤタグに対するデータの読み書きに必要な全てをペン型ケースに内蔵しているので、ケーブルで外部機器と接続して電力の供給を受けたり、専用のＡＣアダプタを接続して商用電源から給電を受けたりする必要がないので、場所を選ばずどこでも容易に使用することができ、操作性が著しく向上する。
また、ペン型ケースの先端部のアンテナ基板装着部の構造を実施形態で説明したようにすれば、その操作性が一層向上する。
【図面の簡単な説明】
【図１】この発明によるＲＦＩＤリーダ／ライタの一実施形態をタグと共に示す側面図である。
【図２】同じくそのＲＦＩＤリーダ／ライタのペン型ケース内に設けられている各部の構成を示すブロック図である。
【図３】図１に示したＲＦＩＤリーダ／ライタのアンテナ基板装着部を拡大して示す分解斜視図である。
【図４】同じくその組付状態における拡大横断面図である。
【図５】この発明によるＲＦＩＤリーダ／ライタのアンテナ基板装着部の他の例を示す図３と同様な分解斜視図である。
【図６】従来のペン型のＲＦＩＤリーダ／ライタのアンテナ基板装着部の一例を示す分解斜視図である。
【図７】同じく、その組付状態における拡大横断面図である。
【符号の説明】
１：ＲＦＩＤリーダ／ライタ　　２：ＲＦＩＤタグ
３：ペン型ケース　　４：アンテナ基板
５：マイクロコンピュータ
６：操作部　　６ａ，６ｂ：スイッチボタン
７：表示器　　８：赤外線通信窓
９：電源部　　１０：ＣＰＵ（制御部）
１１：ＲＯＭ（プログラムメモリ）
１２：ＲＡＭ（データメモリ）
１３：ＣＰＵバス　　１４：ドライブ回路
１５：赤外線通信ユニット
３１：アンテナ基板保持部　　３１ａ：端面
３１ｂ，３１ｄ：位置決め用突起
３３：キャップ　　３１ａ：先端面
３６：電池交換用の蓋　　３７：ヒンジ部
４１：基板　　　４１ａ，４１ｂ：位置決め孔
４２：アンテナコイル
【図１】
2004102728.tif 000003
【図２】
2004102728.tif 000004
【図３】
2004102728.tif 000005
【図４】
2004102728.tif 000006
【図５】
2004102728.tif 000007
【図６】
2004102728.tif 000008
【図７】
2004102728.tif 000009